(57)【要約】【課題】ラベルマガジンの所定方向の代表的な位置を、熟練者でなくても容易に正確に調整することができる支持機構を提供する。【解決手段】ラベルマガジン５０の所定方向の代表的な位置を記憶する機構は、ラベルマガジン５０を支持する支持部材１と、ラベルマガジンの代表的な位置を規制する位置決め部材２と、前記位置決め部材２を前記支持部材１に固定する固定部３とを備える。ラベルマガジン５０を代表的な位置に調整した後、当該位置に対応する位置に位置決め部材２を固定部３を用いて固定することによって、ラベルマガジン５０の代表的な位置が位置決め部材により設定記憶される。【選択図】図２
2007302284.tif 000002
【特許請求の範囲】
【請求項１】
ラベル貼付装置本体にラベルを供給するラベルマガジンを支持する支持機構であって、
前記ラベルマガジンを所定方向に位置調整可能に支持する支持部材と、
前記所定方向における前記ラベルマガジンの位置を規制する位置決め部材と、
前記位置決め部材を前記支持部材に固定する固定部とを備えることを特徴とする支持機構。
【請求項２】
前記ラベルマガジンを前記位置決め部材に押し付ける部材をさらに備えることを特徴とする請求項１に記載の支持機構。
【請求項３】
前記位置決め部材と前記ラベルマガジンの所定部分との間に介在させるスペーサをさらに備えることを特徴とする請求項１又は２に記載の支持機構。
【発明の詳細な説明】
【技術分野】
【０００１】
本発明は、ラベル貼付装置本体にラベルを供給するラベルマガジンを支持する支持機構に関する。
【背景技術】
【０００２】
ビール瓶等の物品にラベルを貼り付けるラベル貼付装置がある。ラベル貼付装置は、ラベルの裏面に糊を塗布して物品に貼付するラベル貼付装置本体と、該本体にラベルを供給するラベルマガジンと、該本体の糊ローラーに糊を供給する糊供給部とを含んで構成されうる。ラベル貼付装置の構成例は、例えば特許文献１に記載されている。
【特許文献１】特開２００３−２１２２２５号公報
【発明の開示】
【発明が解決しようとする課題】
【０００３】
ラベルマガジンを支持する支持機構は、ラベル貼付装置本体とそれに渡されるラベルとの位置関係を調整するための機構を備えている。ラベルマガジンの左右方向の位置は、例えば、ラベルマガジンを左右方向に摺動自在に支持する支持部材に形成した長孔に、ラベルマガジン下部に突設した螺子を挿通の上、左右方向の所定の位置で前記螺子をナットで締め付けて固定することによって、位置決めされうる。
【０００４】
しかしながら、ラベルマガジンは定期的に取り外して清掃したり、また、故障が発生した場合にはラベルマガジンを分解して修理を行う必要がある。このような、ラベルマガジンの清掃、分解修理を行った後には、ラベルマガジンの位置決めを改めて行なわなければならない。また、ビール瓶等の物品の種類を変更するときには、貼り付けるラベルの種類を交換するので、ラベルマガジンの位置決めを新たに行う必要がある。ところで、ラベルマガジンの位置決め調整を熟練者でない初心者が行う場合には、ラベルマガジンの正確な位置決め調整作業のために多大な時間を要していた。
【０００５】
もし、ラベルマガジンの位置決めが適正でないとすると、ラベルマガジンからラベル貼付装置本体に対して適正にラベルが供給されず、貼付不良が発生することになる。
【０００６】
本発明は、上記の課題認識を基礎としてなされたものであり、特に熟練者でなくても、高頻度で生じるラベルマガジンの位置決めを容易かつ正確に行うことができるラベルマガジンの支持機構を提供することを目的とする。
【課題を解決するための手段】
【０００７】
本発明のラベルマガジンの支持機構は、ラベルマガジンを所定方向に位置調整可能に支持する支持部材と、前記所定方向における前記ラベルマガジンの位置を規制する位置決め部材と、前記位置決め部材を前記支持部材に固定する固定部とを含んで構成される。高頻度で生じるラベルマガジンの位置決め位置を一旦設定すれば、その位置を前記位置決め部材により記憶することにより、再度当該位置にラベルマガジンを位置決めすることが、容易かつ正確に行いうる。
【０００８】
本発明の好適な実施形態によれば、前記支持機構は、ラベルマガジンを前記位置決め部材に押し付ける部材をさらに備えることが好ましい。作業者は先のラベルマガジンの位置決め位置を解除すれば、前記押し付ける部材によって、位置決め部材によって予め設定されていた位置にラベルマガジンを自動的にかつ正確に位置決めすることが可能となる。また、前記位置決め部材と前記ラベルマガジンの所定部分との間に介在させるスペーサをさらに備えると、予め設定する位置決め位置を複数記憶することができる。
【発明の効果】
【０００９】
本発明によれば、熟練者でなくてもラベルマガジンを予め設定した所定の位置に短時間でかつ正確に調整することができる。
【発明を実施するための最良の形態】
【００１０】
以下、添付図面を参照しながら本発明の好適な実施形態を説明する。
【００１１】
まず、本発明の好適な実施形態のラベル貼付装置の全体構成を説明する。
【００１２】
図１は、ビール瓶等の物品にラベルを貼付するラベル貼付装置の全体構成を示す図である。ラベル貼付装置は、例えば、ラベル５１の裏面に糊を塗布してビール瓶等の物品７１に貼付するラベル貼付装置本体１００と、該本体１００にラベルを供給するラベルマガジン５０と、該本体１００の糊ローラー３０に糊を供給する糊供給部２００とを含んで構成されうる。
【００１３】
ラベル貼付装置本体１００は、例えば、糊ローラー３０、パレット４１を備えたパレット回転機構４０、グリッパ６１を備えたグリッパ回転機構６０、ビール瓶等の物品を回転させる物品回転機構７０等で構成されうる。糊供給部２００は、例えば、タンク１０、供給管２４、２６、ポンプ２２等で構成されうる。
【００１４】
タンク１０内の糊は、供給管２４、２６を通してポンプ２２によって糊ローラー３０に供給される。糊ローラー３０の側方には、糊ローラー３０の表面に糊を均一に広げるためのスクレーパー３２が配置されている。糊ローラー３０及びスクレーパー３２の下方には、糊ローラー３０及びスクレーパー３２から滴り落ちる糊を回収する回収パン３４が配置されている。回収パン３４で回収された糊は、回収管２８を通してタンク１０に戻される。
【００１５】
糊ローラー３０の側方には、複数のパレット４１が円周に沿って等間隔で配置されたパレット回転機構４０が配置されている。パレット回転機構４０の回転にともなって各パレット４１が公転しながら、糊ローラー３０の表面の糊が各パレット４１に塗布される。パレット回転機構４０の側方には、ラベルマガジン５０が配置されている。ラベルマガジン５０は、ラベル５１をその裏面（糊を塗布する面）をパレット４１側に向けてパレット４１に供給する。ラベル５１は、公転中のパレット４１の表面（糊が塗布された面）に付着し、これによりラベル５１の裏面に糊が塗布される。
【００１６】
パレット回転機構４０の側方には、また、複数のグリッパ６１が円周に沿って等間隔で配置されたグリッパ回転機構６０が配置されている。グリッパ回転機構６０の回転にともなって各グリッパ６１が公転する。各グリッパ６１は、公転中に、パレット４１に付着しているラベル５１を引っ掛けて受け取る。この状態で、ラベル５１は、糊が塗布された面（裏面）が外側を向くことになる。
【００１７】
グリッパ回転機構６０の側方には、ビールが充填されたビール瓶等の複数の物品７１を円周に沿って等間隔で保持する物品回転機構７０が配置されている。物品回転機構７０の回転にともなって各物品７１が公転し、この際に、グリッパ６１によって保持されているラベル５１が物品７１に貼り付けられる。ラベル５１が貼り付けられた物品７１は、次工程に向けて搬送される。
【００１８】
図２は、ラベルマガジン５０の支持機構の一実施形態を上からみた図であり、図３は、図２をＡ−Ａ方向からみた側面図である。ラベルマガジン５０の、ラベル貼付装置本体にラベルを供給する方向と直交する方向（以下、「左右方向」という。）の両側部に、ラベルマガジン５０を後述する支持部材１に取り付けるための取り付け部材５２，５２’が延出されている。ラベル貼付装置本体１００に向かって左側に延出する取り付け部材５２の左端近傍と右側に延出する取り付け部材５２’の右端近傍とには、それぞれ下方に延びる螺子５４，５４が固設されている。ラベル貼付装置が設けられている床には、ラベルマガジン５０を挟む左右方向と、ラベルマガジン５０のラベル貼付装置本体１００にラベルを供給する方向（以下、「前後方向」という。）の合計４箇所の適宜の位置に４本のポール４，４，４’，４’が立設されている。ラベル貼付装置本体側の左右に位置する２本のポール４，４’間、及び、ラベル貼付装置本体から離れて左右に位置する２本のポール４，４’間にそれぞれ取り付け部材５２，５２’も含めたラベルマガジン５０の全体を下方から支持する支持部材１が固設されている。支持部材１の左右両端を除く部位に長手方向に延び、かつ上下に貫通する長孔１１が穿設されている。取り付け部材５２，５２’に設けた螺子５４，５４’の支持部材１の長孔１１より下方に延びる部位に固定部としてのナット５３を締め付けることにより、ラベルマガジン５０はその取り付け部材５２，５２’を介して支持部材１の左右方向の所定位置に位置決め固定される。右側の取り付け部材５２’の右端近傍に固設した螺子５４の上部とラベルマガジン５０の右方向に立設したポール４との間には、ばね等、ラベルマガジン５０を左方向に押し付ける部材６を設けてもよい。前記押し付け部材６を設ける場合には、後述する位置決め部材２によって記憶される特定の基準位置αにラベルマガジン５０を自動的にかつ正確に位置決めすることが可能となる。
【００１９】
位置決め部材２は、支持部材１の長孔１１の幅より大きい上部部分と、当該上部の下方に延設される長孔１１の幅より小径の螺子部分とから成っており、前記螺子部分は前記上部部分に溶接等の手段により一体化されている。したがって、位置決め部材２の螺子部分を支持部材１の所定位置の長孔１１に挿入した後、長孔１１より下方に突出した螺子部分に固定部としてのナット３を締め付けることにより、位置決め部材２は支持部材１の左右方向の所定位置に位置決め固定される。ナット３を支部部材１の螺子部分より緩めれば、位置決め部材２は持部材１から取り外すことができる。
【００２０】
基準位置αを位置決め部材２に記憶させる手順は以下のとおりである。まず、ラベルマガジン５０を左右方向に調節して正確に基準位置αに調整し、固定する。その後、位置決め部材２の螺子部分を支持部材１の左側の長孔１１に挿入し、ナット３を軽く締め付けて仮固定する。そして、位置決め部材２の右端がラベルマガジン５０左側の取り付け部材５２の左端に当接するまで、位置決め部材２を右方向に移動させる。位置決め部材２の右端が前記取り付け部材５２の左端に当接した位置で、位置決め部材２のナット３を固く締め付け、位置決め部材２の左右方向の位置を基準位置αに対応する位置に位置決め固定する。以上の操作によって、基準位置αが位置決め部材２により設定記憶される。
【００２１】
ラベルマガジン５０を清掃や分解修理のために取り外したり、ラベルの種類を変更したりして、ラベルマガジン５０を改めて基準位置αに位置決め設定したい場合の手順を示すと、まずラベルマガジン５０を固定する左右の取り付け部材取り付け部材５２，５２’の左右両端近傍のナット５３，５３’を緩める。ラベルマガジン５０は前後２つの支持部材１，１に固定されているから、後方に位置する左右の取り付け部材５２，５２’の左右両端近傍のナット５３，５３’も緩める必要がある。４つのナット５３，５３，５３’，５３’を緩めることが完了すれば、ラベルマガジン５０は前後２組の押し付け部材６，６によって左方向に押し付けられ、左側の取り付け部材５２が基準位置αに位置決め固定された位置決め部材２に緊密に当接されることとなる。押し付け部材６を備えていない場合には、ラベルマガジン５０の左側の取り付け部材５２が位置決め部材２と緊密に当接するまで、ラベルマガジン５０を手動で左方向に移動させる。前記取り付け部材５２が位置決め部材２と緊密に当接した状態で、前後、左右の４組の取り付け部材５２，５２，５２’，５２’の左右両端の固定部のナット５３，５３，５３’，５３’を締め付けると、自動的にラベルマガジン５０を基準位置αに正確に位置決め固定できることとなる。
【００２２】
上記実施形態では、ラベルマガジン５０の前後左右４つの取り付け部材５２，５２，５２’，５２’のそれぞれに固定部５３，５３，５３’，５３’を設けたが、例えば、左右一方の取り付け部材にのみ固定部を設ける構造としてもよい。さらに、図２、図３には、ラベルマガジン５０が1組しか示されていないが、支持部材１、位置決め部材２及び位置決め部材２の固定部としてのナット３からなる支持機構をもう1組使用することで、ラベルマガジン５０を上下２段に設置し、ビール瓶等の物品の異なる２箇所に同時に２枚のラベルを貼付する構造に変更することが可能である。
【００２３】
図４は、本発明の別の実施形態を上からみた図である。この実施形態では、ラベルマガジン５０の基準位置αに対応する位置に固定された位置決め部材７の右側に、その左端が当接するようにスペーサ６を設置する。当該スペーサ６の左右方向の長さは、スペーサ６の右端がラべルマガジン５０の第２の基準位置βに対応するように設ける。そうすると、スペーサ６を使用しなければ、ラベルマガジン５０の左右方向の位置を第1の基準位置αに、スペーサ６を介在させれば、ラベルマガジン５０の左右方向の位置を第２の基準位置βに、それぞれ容易かつ正確に設定可能である。さらに、スペーサ６を位置決め部材２のように支持部材１に対して固定可能に設ける構造、また、スペーサ６を複数種備え、第２の基準位置を選択可能とすることもできる。
【００２４】
図２,３及び図４に示した実施形態では、いずれも本発明の支持機構を用いて設定する基準位置をラベルマガジンの左右方向の所定位置としたが、ラベルマガジンの前後方向の所定位置とすることができることはいうまでもない。
【図面の簡単な説明】
【００２５】
【図１】物品にラベルを貼付するラベル貼付装置の構成例を示す図である。
【図２】本発明の一実施形態を上からみた図である。
【図３】図２のＡ−Ａ方向からの側面図である。
【図４】本発明の別の実施形態を上からみた図である。
【符号の説明】
【００２６】
１            支持部材
１１          長孔
２            位置決め部材
３            位置決め部材の固定部（ナット）
４，４’      ポール
５            押し付ける部材（ばね）
６            スペーサ
１０          タンク
２２          ポンプ
２４、２６    供給管
２８          回収管
３０          糊ローラー
３２          スクレーパー
３４          回収パン
４０          パレット回転機構
４１          パレット
５０          ラベルマガジン
５１          ラベル
５２，５２’  取り付け部材
５３，５３’  取り付け部材の固定部（ナット）
６０          グリッパ回転機構
６１          グリッパ
７０          物品回転機構
１００        ラベル貼付装置本体
２００        糊供給部
α            第１の基準位置
β            第２の基準位置
【図１】
2007302284.tif 000003
【図２】
2007302284.tif 000004
【図３】
2007302284.tif 000005
【図４】
2007302284.tif 000006